(57)【要約】【課題】ファスナー下止めが外力によって引っ張られる際、止めがねが緩む、方向転換及び離脱する欠点を解決すること。【解決手段】オス止め１１の上端には下向きのホック１１１があり、ホックの上には溝１１２がある。ホックの下に差込み溝１１４があり、溝の中にはストッパー１１３を設けている；メス止め１２の上端嵌め込み部には、上向きの突出した差込み角１２１があり、差込み角の上端には、嵌め込み溝１２２を形成する。下端の嵌め込み台には嵌めこみ溝１２４、サイド壁には滑り込み溝１２５があり、滑り込み溝の下にはストッパー１２６がある。この構成により、ファスナー下止めが外力によって引っ張られても、止めがねが緩んだり、方向転換及び離脱したりすることはなく、また、外力によってプレスされる際、ブロックに裂け目が生じ、使用できなくなることはない。【選択図】　　図１
0003097553.tif 000002
【実用新案登録請求の範囲】
【請求項１】
上部は低階部、下部は高階部となっており、低階部の内壁上端には、先端に溝を有し下方に傾斜したホックがあり、ホックの下端には差込み溝があり、溝の中には突出したストッパーを有するオス止めと、
上部は嵌め込み部分であり、下部は矩形状の嵌め込み台となっており、嵌め込み部分の先端内壁には上向きの斜め突出差込み角部があり、この差込み角部の先端には嵌め込み溝がある一方、嵌め込み台の中には、通路状の嵌め込み溝を設けており、嵌め込み台の内壁には前記嵌め込み溝と互いに貫通している滑りこみ溝が設けられたメス止めと、
を備えたファスナーの下止め。
【請求項２】
オス止めの先端溝内のストッパーは、サイド側に設けてあり、前記ストッパーの下方には溝を有する第１のエレメントが設けられ、前記ストッパーは前記第１のエレメントの溝と噛み合わせ可能であることを特徴とする請求項１記載のファスナー下止め。
【請求項３】
オス止めの高階部内壁には、嵌め込み台の嵌め込み溝の中に導入しやすくするための斜面が形成され、前記オス止めの高階部外壁は垂直平面に形成され、メス止めの嵌め込み溝内壁と面接触することを特徴とする請求項１または２記載のファスナー下止め。
【請求項４】
メス止めの嵌め込み台に設けられた滑りこみ溝の下端には、前記嵌め込み台と一体となったストッパーブロックが設けられていることを特徴とする請求項１乃至３のいずれかに記載のファスナー下止め。
【請求項５】
オス止めの低階部の外壁は下に窪んだアーチ型の曲面であることを特徴とする請求項１乃至４のいずれかに記載のファスナー下止め。
【考案の詳細な説明】
【０００１】
【考案の属する技術分野】
本考案はファスナーの下止め仕組み、特にファスナーの左右テープの下端に設けられ、スライダーを遮るのに用いられるファスナー下止めに関するものである。
【０００２】
【従来の技術】
従来のファスナーには数種類の下止めがあり、これらの下止めは国内外の専売特許公報及び技術文献の中よりその技術を知ることができる。例えば図８の台湾公告第３４０３１５号「開口ファスナー開合装置の改良」専売特許、申請日、１９９８年１月１９日、公告日、１９９８年９月１１日、申請者、昇株式有限公司、周朝木；及び図９の台湾公告第４０６５３８号「ナイロン開口ファスナー開合装置」、申請日、１９９８年９月１８日、公告日、２０００年９月２１日、申請者、陳子奇；前者の下止めはブロック８１及び止めがね８２の二部分に分けることができる。後者の下止めもブロック９１及び止めがね９２の二部分に分けることができる。紹介しやすいように、以下は図９を例に挙げて説明する；図の中で掲示する９１のルート９１１は止めがね９２の低階部９２６を挿入して固定する為にある。ブロック９１上端の嵌め込み部９１２は、止めがね９２高階部９２７の中に嵌めこむことができる。その特徴は：高階部９２７の内側には縦方向の凸脊９２５があり、凸脊９２５と組合せるのは、嵌め込み部９１２の中のダブルほぞ９１３によって形成するストッパー溝９１４である。縦方向の凸脊９２５をストッパー溝９１４の中に嵌めこめば、固定機能及び離脱防止機能を実現することができる。
【特許文献１】台湾公告第３４０３１５号
【特許文献２】台湾公告第４０６５３８号
【０００３】
【考案が解決しようとする課題】
前述のファスナー下止めが引っ張る或いは挟まれる力に弱い。図１０にて示すのは、旧式ファスナー下止め９はナイロンファスナー或いは合成樹脂ファスナーにて使用することができる。その中でも、ブロック９１、止めがね９２はエレメント９３の下端に設けられており、同時に左右のテープ９４の内側にも固定されている。止めがね９２の下端内外両端は全て斜辺９２１、９２２になっている為、下端は簡単にルート９１１の中に挿入することができるが、ルート９１１の内壁と接触する部分は、斜辺９２２上端のきり角９２３だけである；次にブロック９１の上にある嵌め込み部９１２上端の内壁にはダブルほぞ９１３があり、このダブルほぞ９１３は止めがね９２の上端内壁縦方向の凸脊９２５と噛み合わせることができる；この他、止めがね９２のトップには、エレメント９３の先９３１を導入する為の溝９２４がある。
【０００４】
図１１が示すのは、旧式ファスナー下止めが横向きの方向に引っ張られる様子を示す表示図である。国際標準によれば、一般の下止めは９ｋｇ／ｃｍ２の力に耐えられなければならない。その力は垂直の力、上下の力及びサイド向きの力に分けられ、一般の下止めではそのいずれの力のテストにも合格できる。しかし、ハイレベルの国家（例えば日本）の一般の下止めは、１５ｋｇ／ｃｍ２の標準値に耐えることは難しい。特にサイドの力テストにおは合格しない。その原因とは：左右テープ９４がサイド向きの力（矢印のように）に引っ張られる時、下止めの止めがね９２が力を受ける場所は、凸角９２３と溝９２４の２点だけである。溝９２４はエレメントの先９３１のよって遮られるが、エレメント９３はテープ９４の延伸により異動する為、力が大きい場合、エレメントの先９３１は溝９２４から離れ、止めがね９１の上端は緩んで、外側に移動する。続いて下端の凸角９２３を止めがね９１の上端より外側に移動した後、内側に移動させる為、凸角９２３はルート９１１の上端から離脱し、止めがね９１の緩み・方向転換及び脱出の状況を作ることとなる。
【０００５】
図１２は台湾公告第４０６５３８号に開示された従来のファスナー下止めが両側から押される表示図である。この図１２のように、ブロック９１のルート９１１内側に滑りこみ溝９１５を設けた。滑りこみ溝９１５により、ブロック９１の内側は垂直の力（矢印のように）に耐えることができない為、ブロック９１の内側がプレスされた後は、真中の線９１６（　点線表示）からルート９１１の間まで切れ目が生じてしまい、下止めが使用できなくなる。
【０００６】
【課題を解決するための手段】
旧式のファスナー下止めがサイド向きの負荷に耐えられず、比較的に大きい力に引っ張られる時に、離脱、移動し、及び挟まれる時に裂け目が生じる欠点を鑑みて、更なる改良が必要であると考慮した。
【０００７】
旧式の問題点を解決する為に、本考案のファスナー下止め仕組みに含まれるのは：
オス止め、上部は低階部、下部は高階部である；低階部の内壁上端には、一つの下向きのホックがあり、ホックの先端には溝、下端には差込み溝がある。溝の内部には突出したストッパーが設けられてある；
メス止め、上部は嵌め込み部分、下部は四方形の嵌め込み台である。嵌め込み部の先端内壁には、上向きの斜めの凸角があり、差込み角の上端は嵌め込み溝を形成する；嵌め込み台の内側にはルートのような嵌め込み溝があり、嵌め込み溝の内壁にある滑りこみ溝は嵌め込み溝と互いに貫通している。
前記の開口ファスナー下止め、オス止めの先端にある溝の中の凸ストッパーはサイド側に設けてあり、底に続く１個目のエレメントの先は溝と噛み合わせるのに便利である。
前記の開口ファスナー下止め、オス止め高階部内壁には、斜面があり、嵌め込み台の嵌め込み溝の中に導入し易くなる。外壁は垂直平面であり、メス止めの嵌め込み溝内壁と面での接触となる。
前記の開口ファスナー下止め、メス止め嵌め込み台の滑り込み溝の下端には、一体となったストッパーがある。
前記の開口ファスナーの下止め、オス止めの低階部の外壁は下に窪んだアーチ型曲面である。
【０００８】
【考案の実施の形態】
以下は図面にて示す実施例に基づく詳細説明である。図１が示すのは本考案下止め結合前の立体図である。図の中で掲示する下止め１は二つのテープ２０の下端にて実施し、開合する二列のエレメント２の閉鎖部品に用いられる。その中にはオス止め１１であり、もう一つはメス止め１２である。オス止め１１およびメス止め１２が二列のエレメント２の底辺と合わせるのに介して、スライダー３がテープ２０から離れるのを防止する。図２にて示す通りである。
【０００９】
図３Ａ、図３Ｂにて示すように、図の中に掲示するのは、オス止め１１上部が低階部１１Ａ、下部は高階部１１Ｂである；低階部１１Ａの上端内側には一つの下向きのホック１１１があり、上端の面には、溝１１２がある。溝１１２の中には、突出したストッパー１１３があり、ホック１１１の下端は斜めの差込み溝１１４を形成している；また、低階部１１Ａの内壁１１５は垂直の平面であり、外側壁１１６はアーチ型曲面である。更に、オス止め高階部１１Ｂの外側壁１１７は垂直平面であり、内壁は斜面１１８となっている。
【００１０】
図４Ａ、図４Ｂにて示すように、図の中に掲示するメス止め１２の上部は嵌め込み部分１２Ａであり、下部は四方形の嵌め込み台１２Ｂである；その中の嵌め込み部分１２Ａ先端内壁には、上向きの斜めとなった差込み角１２１があり、差込み角１２１の上端にはアーチ型嵌め込み溝１２２を形成する。差込み角１２１の下端にある内壁１２３は垂直平面である；嵌め込み台１２Ｂの中には、通路のように貫通した嵌め込み溝１２４があり、嵌め込み台１２Ｂの内壁には、嵌め込み溝１２４と合い通じる滑り込み溝１２５がある。滑り込み溝１２５の下端には、一体化となったストッパー１２６が繋がっている。
【００１１】
図５Ａ、図５Ｂにて示すように、図の中ではオス止め１１とメス止め１２の嵌め込み状態を掲示している。オス止め１１は高階部１１Ｂ内壁斜面１１８の補助を受けて、嵌め込み溝１２４の中に入る。そして、垂直の外側壁１１７及び嵌め込み溝１２４の内壁面と接触し、垂直内壁１１５は嵌め込み部１２Ａの垂直内壁１２３と接触する。オス止め１１と繋がるテープ２０は滑り込み溝１２５から導出することができる；この時、先端のホック１１１は嵌め込み溝１２２の中に嵌めこむことができ、挿し込み角１２１は差込み溝１１４の中に挿入する。このように、オスメス止め１１、１２を嵌めこめば、しっかりと合わせることができる。前述のオス止め１１の低階部１１Ａのアーチ型外壁１１６には良好な塑性があり、高階部１１Ｂは内外壁と嵌め込み台１２Ｂの嵌め込み溝１２４の内壁としっかりと接触する為、安定性が高く、異動しにくい。更にメス止め１２嵌め込み台１２Ｂの滑り込み溝１２５の下端にはストッパー１２６があり、このストッパー１２６により、嵌め込み台１２Ｂの両側から力を施しても（図５Ａの矢印のように）裂ける或いは損害が生じるのを避けることができる為、ストッパー１２６には強化作用のある補強ブロックの役割がある。
【００１２】
図６Ａ、図６Ｂにて示すように、図の中で掲示するオス止め１１の先端溝１１２は、エレメント２の先２１を嵌め込むのに使用される。溝１１２の中にある突出したストッパー１１３はエレメントの先２１にある溝２２と噛みあわす為、縦向きの力（図６Ａの矢印のように）によって破壊されるのを防止することができる。
【００１３】
図７にて示すように、ファスナー下止め１のオス止め１１とメス止め１２を結合した後、サイド向きの力（矢印にて示すように）を施せば、力を受ける下止め１の上端部分は、溝１１２と第一のエレメント２’　と噛み合わせる他、ホック１１１と嵌め込み溝１１２及び差込み角１２１及び差込み溝１１４を嵌め込むことにより、しっかりと固定することとなる；力を受ける下端部分は、オス止め１１の下端内外壁１１５、１１７と嵌め込み溝１２４を組合せた為、平均して力を受ける面積が広くなり、負荷を減少し、受ける力も小さくなる。上止め１の上端は緩まず変位せず、下端もしっかりと緩まない為、下止め１は外力による大きな引っ張られる力、或いはプレスされる力を受けられ、離脱することがなくなる。
【００１４】
【考案の効果】
本考案創作の実施により、下記の結果を得ることができる：
１．ベストな外力に抵抗する機能を備える他、垂直或いは両側によって引っ張られても、下止めは１５ｋｇ／ｃｍ２以上の力に耐えることができ、離脱防止効果に達することができる。
２．オス止めは簡単にメス止め嵌め込み台の中に導入することができ、嵌めこんだ後は、外力の影響を受けず且つ緩むことがない。
３．メス止めの嵌め込み台滑りこみ溝の下にはストッパーブロックがあり、嵌め込み台が上下から外力を加えても、ストッパーブロックを介して負荷を受け、裂ける損害を避けることができる。
【図面の簡単な説明】
【図１】本考案の一実施の形態に係るファスナーの下止めを合わせる前の斜投影図。
【図２】前記実施の形態に係るファスナーの下止めを合わせた後の斜投影図。
【図３】Ａ　前記実施の形態に係るファスナーの下止めのオス止めの斜投影図。
Ｂ　　前記実施の形態に係るファスナーの下止めのオス止めの平面略図。
【図４】Ａ　前記実施の形態に係るファスナーの下止めのメス止めの斜投影図。
Ｂ　　前記実施の形態に係るファスナーの下止めのメス止めの平面略図。
【図５】Ａ　　前記実施の形態に係るファスナーの下止めのオス、メス止めの組合せ斜投影図。
Ｂ　　前記実施の形態に係るファスナーの下止めオス、メス止めの組合せ略図。
【図６】Ａ　　前記実施の形態に係るファスナーの下止めとエレメント組合せの斜投影図。
Ｂ　　前記実施の形態に係るファスナーの下止めとエレメント組合せの平面略図。
【図７】前記実施の形態に係るファスナーの下止め側より力を受けた時の略図。
【図８】台湾公告第３４０３１５号に示された従来のファスナー下止めの斜投影図。
【図９】台湾公告第４０６５３８号に示された従来のファスナー下止めの斜投影図。
【図１０】台湾公告第４０６５３８号に示された従来のファスナー下止めの平面組立図。
【図１１】台湾公告第４０６５３８号に示された従来のファスナー下止めが横向きに引っ張られる表示図。
【図１２】台湾公告第４０６５３８号に示された従来のファスナー下止めが両側から押される表示図。
【符号の説明】
１：　下止め
１１：オス止め
１１Ａ：　低階部
１１Ｂ：　高階部
１１１：　ホック
２：　溝
１１３：　ストッパー
１１４：　差込み溝
１２：メス止め
１２Ａ：　嵌め込み部分
１２Ｂ：　嵌め込み台
１２１：　差込み角
１２２：　アーチ型嵌め込み溝
１２４：　嵌め込み溝
１２５：　滑りこみ溝
１２６：　ストッパーブロック
２：　エレメント
２０：テープ
【図１】
0003097553.tif 000003
【図２】
0003097553.tif 000004
【図３】
0003097553.tif 000005
【図４】
0003097553.tif 000006
【図５】
0003097553.tif 000007
【図６】
0003097553.tif 000008
【図７】
0003097553.tif 000009
【図８】
0003097553.tif 000010
【図９】
0003097553.tif 000011
【図１０】
0003097553.tif 000012
【図１１】
0003097553.tif 000013
【図１２】
0003097553.tif 000014